(57)【要約】【課題】情報の欠落がある文書を再利用し、用紙と色材が無駄にならないようにする。【解決手段】画像形成装置は通信部、給紙部、印刷部、記憶部、操作部、制御部を含む。節約モードに設定されているとき、制御部は、記憶部に記憶された文書データのうち１つを第１文書データとして選択する。制御部は、第１文書データと新たに通信部が受信した第２文書データを比較する。制御部は、第２文書データにはあるが第１文書データにはない欠落部分を認識する。制御部は、欠落部分のみが印刷される欠落追加画像データを生成する。制御部は、セットされた第１文書データに基づく印刷物を給紙部に給紙させ、欠落追加画像データに基づく印刷を印刷部に行わせる。【選択図】図５
2019001061.tif 000002
【特許請求の範囲】
【請求項１】
文書データを受信する通信部と、
用紙を１枚ずつ送り出す給紙部を含み、前記文書データに基づき、前記給紙部から供給された用紙に印刷する印刷部と、
前記通信部が受信した前記文書データを不揮発的に記憶する記憶部と、
操作を受け付ける操作部と、
節約モードに設定されているとき、
前記記憶部に記憶された前記文書データのうち１つの前記文書データを第１文書データとして選択し、
前記第１文書データと新たに前記通信部が受信した第２文書データを比較し、
前記第２文書データのうち、前記第２文書データにはあるが前記第１文書データにはない欠落部分を認識し、
前記欠落部分のみが印刷される欠落追加画像データを生成し、
セットされた前記第１文書データに基づく印刷物を前記給紙部に給紙させ、前記欠落追加画像データに基づく印刷を前記印刷部に行わせる制御部と、を含むことを特徴とする画像形成装置。
【請求項２】
前記制御部は、前記記憶部に記憶された前記文書データのうち、前記第２文書データの名前と同じ名前の前記文書データを前記第１文書データとして選択することを特徴する請求項１に記載の画像形成装置。
【請求項３】
前記記憶部に記憶された前記文書データを指定する指定データを前記通信部が受信したとき、
前記制御部は、前記指定データで指定された前記文書データを前記第１文書データとして選択することを特徴とする請求項１又は２に記載の画像形成装置。
【請求項４】
前記制御部は、前記操作部の操作により指定された前記文書データを前記第１文書データとして選択することを特徴する請求項１乃至３の何れか１項に記載の画像形成装置。
【請求項５】
前記第２文書データに別の前記文書データが添付されているとき、
前記制御部は、
前記第２文書データに添付された別の前記文書データを前記第１文書データとして選択し、
前記記憶部に記憶された前記文書データから前記第１文書データを選択しないことを特徴する請求項１乃至４の何れか１項に記載の画像形成装置。
【請求項６】
原稿を読み取り、原稿画像データを生成する画像読取部を含み、
前記操作部が前記原稿画像データとの比較指示を受け付けたとき、
前記制御部は、
前記原稿画像データを前記第１文書データとして選択し、
前記第２文書データに基づく比較用画像データと前記原稿画像データとを比較し、
前記比較用画像データのうち、前記比較用画像データにはあるが前記原稿画像データにはない部分を前記欠落部分として認識し、
前記欠落部分のみが印刷される前記欠落追加画像データを生成し、
前記欠落追加画像データに基づく印刷を前記印刷部に行わせることを特徴とする請求項１乃至５の何れか１項に記載の画像形成装置。
【請求項７】
前記制御部は、送信されてから予め定められた保持期間が経過した前記文書データを前記記憶部に消去させることを特徴とする請求項１乃至６の何れか１項に記載の画像形成装置。
【請求項８】
前記第１文書データと前記第２文書データが同じであるとき、
前記制御部は、前記欠落追加画像データに基づく印刷を前記印刷部に行わせず、前記第１文書データと前記第２文書データが同じであることを報知することを特徴とする請求項１乃至７の何れか１項に記載の画像形成装置。
【請求項９】
前記モードが前記節約モードに設定されていない場合、
前記通信部が、前記記憶部に記憶された前記文書データと同じ名前である第３文書データを新たに受信したとき、
前記制御部は、前記第３文書データの送信者に向けて、同じ名前の前記文書データが以前に印刷されたことを知らせる注意喚起通知を前記通信部に送信させることを特徴とする請求項１乃至８の何れか１項に記載の画像形成装置。
【請求項１０】
前記第３文書データと前記記憶部に記憶された同じ名前の前記文書データの送信者とが同じ場合、
前記注意喚起通知の送信後、前記第３文書データの送信者から印刷物を再利用する回答を前記通信部が受信したとき、
前記制御部は、
前記第３文書データと同じ名前の前記文書データを前記第１文書データとし、前記第３文書データを前記第２文書データとして、前記欠落追加画像データを生成し、
前記欠落追加画像データに基づく印刷を前記印刷部に行わせることを特徴とする請求項９に記載の画像形成装置。
【請求項１１】
前記第３文書データと前記記憶部に記憶された同じ名前の前記文書データの送信者とが異なる場合、
前記注意喚起通知の送信後、前記第３文書データの送信者から印刷の中止回答を前記通信部が受信したとき、
前記制御部は、前記第３文書データに基づく印刷を前記印刷部に行わせないことを特徴とする請求項９又は１０に記載の画像形成装置。
【発明の詳細な説明】
【技術分野】
【０００１】
本発明は、セットされた用紙を供給して印刷を行う画像形成装置に関する。
【背景技術】
【０００２】
画像形成装置は色材を用いて印刷を行う。画像形成装置は、入力されたデータに基づき画像データを生成する。画像形成装置は、生成した画像データに基づき印刷する。そして、画像形成装置には、画像データを加工、編集するものがある。特許文献１には、画像データを加工する複写装置の一例が記載されている。
【０００３】
特許文献１には、原稿を読み取り、入力データを一時格納し、入力データを解析して捺印・Confidential・秘等の任意に設定された特定の文字列・特定の画像の存在を解析し、特定の文字列・特定の画像が含まれている原稿と判断した場合、特定の文字列部分と特定の画像部分のみを複写しない複写装置が記載されている。この構成により、任意に設定された文字列・画像の部分を自動的に編集しようとする。
【先行技術文献】
【特許文献】
【０００４】
【特許文献１】特開２００３−０６９８０３号公報
【発明の概要】
【発明が解決しようとする課題】
【０００５】
画像形成装置をプリンターとして用いることがある。使用者は、ソフトウェアを用い、コンピューターで文書（ファイル）を作成する。例えば、使用者は、ワープロソフトや表計算ソフトで文書を作成する。作成した文書を印刷したいとき、ソフトウェアで印刷のコマンドを実行する。コマンド実行により、コンピューターから画像形成装置に文書を印刷するためのデータ（文書データ）が送信される。画像形成装置は、文書データに基づき印刷する。使用者は、文書データに基づく印刷物を得る。
【０００６】
文書がミスプリントされることがある。例えば、使用者は、必要な文字や図形が抜けた状態で（未完成状態で）、文書を印刷することがある。また、使用者は、文章が完成したと誤解して印刷を開始する場合もある。完成に必要な情報が欠けた文書が印刷される。印刷後、使用者は、文章に必要な情報を含める修正を行う。そして、使用者は、修正後の文書を再度、印刷する。これにより、完成された文書が得られる。
【０００７】
ミスプリントされた文書は無駄になる。用紙や色材（トナーやインク）が無駄に消費されるという問題がある。ミスプリントの発生回数は少なくない。ミスプリントの回数が多くなるほど、無駄に消費される用紙や色材の量は大きくなる。
【０００８】
特許文献１に記載の技術は、捺印・Confidential・秘の文字が含まれている原稿に関する。原稿にこれらの文字が含まれていても、これらの文字を含まない複写物（複写により得られた印刷物）を得ることができる。しかし、ミスプリントによる無駄な用紙や色材の消費の問題を解決することはできない。
【０００９】
本発明は、上記課題を解決するため、情報の欠落がある文書を再利用し、用紙と色材が無駄にならないようにする。
【課題を解決するための手段】
【００１０】
上記目的の達成のため、請求項１に係る画像形成装置は、通信部、印刷部、記憶部、操作部、制御部を含む。前記通信部は、文書データを受信する。前記印刷部は、用紙を１枚ずつ送り出す給紙部を含む。前記印刷部は、前記文書データに基づき、前記給紙部から供給された用紙に印刷する。前記記憶部は、前記通信部が受信した前記文書データを不揮発的に記憶する。前記操作部は、操作を受け付ける。節約モードに設定されているとき、前記制御部は、前記記憶部に記憶された前記文書データのうち１つの前記文書データを第１文書データとして選択する。前記制御部は、前記第１文書データと新たに前記通信部が受信した第２文書データを比較する。前記制御部は、前記第２文書データのうち、前記第２文書データにはあるが前記第１文書データにはない欠落部分を認識する。前記制御部は、前記欠落部分のみが印刷される欠落追加画像データを生成する。前記制御部は、セットされた前記第１文書データに基づく印刷物を前記給紙部に給紙させ、前記欠落追加画像データに基づく印刷を前記印刷部に行わせる。
【発明の効果】
【００１１】
本発明の構成によれば、情報の欠落がある印刷物を再利用することができる。情報の欠落がある印刷物に、必要な情報を追加することができる。再利用により、用紙と色材が無駄になることを防ぐことができる。
【図面の簡単な説明】
【００１２】
【図１】実施形態に係る複合機の一例を示す図である。
【図２】実施形態に係るコンピューターの一例を示す図である。
【図３】実施形態に係る節約モード設定画面の一例を示す図である。
【図４】実施形態に係る節約モード設定画面の一例を示す図である。
【図５】実施形態に係る節約モードでの処理の流れの一例を示す図である。
【図６】実施形態に係る文書データ指定画面の一例を示す図である。
【図７】実施形態に係る節約モードでの印刷物への情報追加の一例を示す図である。
【図８】実施形態に係る節約モードでの印刷物への情報追加の一例を示す図である。
【図９】実施形態に係る欠落追加画像データの一例を示す。
【図１０】実施形態に係る節約モードが解除されているときの複合機の処理の一例を示すフローチャートである。
【発明を実施するための形態】
【００１３】
以下、図１〜図１０を用い、本発明の実施形態を説明する。以下では、画像形成装置として複合機１００を例に挙げ説明する。本実施の形態に記載されている構成、配置等の各要素は、発明の範囲を限定せず、単なる説明例にすぎない。
【００１４】
（複合機１００）
図１を用いて実施形態に係る複合機１００の一例を説明する。図１は、実施形態に係る複合機１００の一例を示す図である。
【００１５】
複合機１００は制御部１、記憶部２、画像読取部３、操作パネル４、印刷部５、通信部６を含む。
【００１６】
制御部１は複合機１００の動作を制御する。制御部１は、ＣＰＵ１１、画像処理部１２を含む。記憶部２は、ＲＯＭ、ＲＡＭ、ストレージを含む。ストレージは、ＨＤＤやＳＳＤのような大容量の記憶装置である。記憶部２は、各種データ、制御用プログラムを記憶する。例えば、記憶部２は制御用データ、設定データ８ｂ、画像データを記憶する。ＣＰＵ１１は、記憶部２に記憶されたプログラム、データに基づき各部（画像読取部３、操作パネル４、印刷部５、通信部６）を制御する。画像処理部１２は各種画像処理を行う。例えば、画像処理部１２は、画像処理専用の回路（ＡＳＩＣ）である。
【００１７】
原稿読み取りのとき、制御部１は、画像読取部３に原稿の読み取りを行わせる。画像読取部３は原稿画像データを生成する。原稿読み取りのため、画像読取部３は、光源（ランプ）、レンズ、イメージセンサー（ラインセンサー）を含む。画像読取部３は、イメージセンサーの出力に基づき、画像データを生成する画像データ生成回路を含む。画像データ生成回路は、イメージセンサーの各画素のアナログ出力をディジタル値に変換する。画像読取部３はカラーでの読み取りに対応している。そのため、画像読取部３は、複数色分のラインセンサーを含む。
【００１８】
操作パネル４は、表示パネル４１、タッチパネル４２（操作部に相当）、ハードキー４３（操作部に相当）を含む。表示パネル４１は、画面、画像を表示する。制御部１は表示パネル４１の表示を制御する。制御部１は、ジョブの設定に用いる操作画像を表示パネル４１に表示させる。操作画像は、例えば、ボタンやキーである。タッチパネル４２は、使用者の操作を受け付ける。タッチパネル４２は、表示パネル４１の上面に設けられる。タッチパネル４２はタッチ位置を認識する。タッチパネル４２の出力に基づき、制御部１は、操作された操作画像を認識する。操作された操作画像に基づき、制御部１は、使用者の操作内容を認識する。ハードキー４３も使用者の操作を受け付ける。ハードキー４３として、例えば、スタートキーを設けることができる。スタートキーは、ジョブの実行開始指示用のキーである。
【００１９】
印刷部５は、給紙部５１、用紙搬送部５２、画像形成部５３、中間転写部５４、定着部５５を含む。給紙部５１には、用紙がセットされる。給紙部５１は、給紙ローラーと、用紙がセットされるセット部を含む。給紙ローラーは、セットされた用紙のうち、１枚と接する。給紙部５１は、給紙ローラーを回転させる。これにより、給紙部５１にセットされた用紙が送り出される。
【００２０】
印刷のとき、制御部１は給紙部５１に用紙を供給させる。制御部１は用紙を用紙搬送部５２に搬送させる。制御部１は、画像データに基づくトナー像を画像形成部５３に形成させる。カラー印刷のため、画像形成部５３は、複数の画像形成ユニットを含む。例えば、画像形成部５３は、ブラックのトナー像を形成する画像形成ユニットと、シアンのトナー像を形成する画像形成ユニットと、イエローのトナー像を形成する画像形成ユニットと、マゼンタのトナー像を形成する画像形成ユニットを含む。制御部１は、画像形成部５３で形成された各色のトナー像の用紙への転写を中間転写部５４に行わせる。制御部１は、用紙に転写されたトナー像の定着を定着部５５に行わせる。制御部１は、機外に向けて定着後の用紙を用紙搬送部５２に排出させる。
【００２１】
通信部６はコンピューター７と通信する。通信部６はコネクタ、通信用回路、通信用メモリーを含む。通信部６はコンピューター７から文書データ８（詳細は後述）を受信する。制御部１は受信した文書データ８に基づき印刷部５に印刷させる（プリントジョブ）。
【００２２】
（コンピューター７と文書データ８）
次に、図２を用いて、実施形態に係るコンピューター７の一例を説明する。図２は、実施形態に係るコンピューター７の一例を示す図である。
【００２３】
コンピューター７は、通信部６と通信可能に接続される。通信部６と接続されるコンピューター７は、１台とは限らない。複数台でもよい。図２では、便宜上、１台のみコンピューター７を図示している。コンピューター７はＰＣやサーバーである。以下の説明では、ＰＣをコンピューター７として用いる例を説明する。なお、コンピューター７は、文書データ８を作成し、複合機１００に文書データ８を送信できるものであればよい。例えば、コンピューター７は、スマートフォンやタブレット型端末でもよい。
【００２４】
コンピューター７は、処理部７０、記憶部７１、ディスプレイ７２、入力デバイス７３、ネットワーク通信部７４を含む。
【００２５】
処理部７０は、コンピューター７の動作を制御する。例えば、処理部７０は、ＣＰＵ７０ａや画像処理回路７０ｂを含む基板である。処理部７０は、ＯＳ、ソフトウェア、データに基づき、コンピューター７の動作を制御する。画像処理回路７０ｂは、画像データに対して画像処理を行う。記憶部７１はＲＯＭ、ＲＡＭ、ストレージを含む。ストレージは、ＨＤＤやＳＳＤのような大容量の記憶装置である。記憶部７１は、コンピューター７のＯＳ、プログラム、ソフトウェア、データを不揮発的に記憶する。処理部７０は、記憶部７１の記憶内容に従って、コンピューター７の各部を制御する。
【００２６】
ディスプレイ７２は、処理部７０からの要求に従い各種情報を表示する。ディスプレイ７２は、液晶パネルや有機ＥＬパネルのような表示を行うパネルである。入力デバイス７３は、使用者の操作を受け付けるデバイスである。入力デバイス７３は処理部７０と接続される。入力デバイス７３は、例えば、キーボードを含む。キーボードの出力に基づき、処理部７０は、操作されたキーを認識する。また、入力デバイス７３は、ポインティングデバイス（例えば、マウス）を含む。ディスプレイ７２は、操作用画像を表示する。操作用画像は、例えば、アイコン、ボタン、キー、タブである。ポインティングデバイスの出力に基づき、処理部７０は、操作された操作用画像を認識する。
【００２７】
ネットワーク通信部７４は通信回路、通信用ソフトウェアを含む。ネットワーク通信部７４は、処理部７０の指示に応じて複合機１００の通信部６と通信する。印刷のため、ネットワーク通信部７４は、複合機１００の通信部６に向けて、文書データ８を送信する。
【００２８】
コンピューター７の記憶部７１は、文書作成用ソフトウェア７１ａを含む。言い換えると、コンピューター７には、文書作成用ソフトウェア７１ａがインストールされる。例えば、文書作成用ソフトウェア７１ａは、ワープロソフト、表計算ソフト、画像データ編集ソフトである。また、ダウンロードしたデータに基づき、ディスプレイ７２に表示するページを構築し、閲覧可能な文書を生成するブラウザソフトも文書作成用ソフトウェア７１ａの一種といえる。また、コンピューター７の記憶部７１は、プリンタードライバー７１ｂを含む。言い換えると、コンピューター７には、プリンタードライバー７１ｂがインストールされる。プリンタードライバー７１ｂは、複合機１００で印刷を行うためのソフトウェアである。
【００２９】
文書作成用ソフトウェア７１ａで作成した文書を印刷したいとき、使用者は、文書作成用ソフトウェア７１ａで印刷コマンドを実行する。入力デバイス７３は、印刷コマンドの実行を受け付ける。印刷コマンドが実行されたとき、処理部７０は、プリンタードライバー７１ｂに基づき、文書データ８を生成する。処理部７０は、複合機１００の通信部６に向けて、生成した文書データ８をネットワーク通信部７４に送信させる。受信した文書データ８に基づき、複合機１００の制御部１は、印刷部５に印刷させる。これにより、使用者は、作成した文書が記された印刷物を得る。
【００３０】
図２に文書データ８の一例を示す。例えば、文書データ８には、ＰＤＬデータ８ａ、設定データ８ｂ、文書データ名８ｃ、送信者情報８ｄ、送信日時８ｅが含められる。
【００３１】
プリンタードライバー７１ｂに基づき、処理部７０は、文書内容（印刷内容）をページ記述言語で記述したＰＤＬデータ８ａを生成する。処理部７０は、使用者により設定された設定値を含む設定データ８ｂを文書データ８に含める。また、処理部７０は、文書の名前（文書データ名８ｃ）を文書データ８に含める。例えば、処理部７０は、文書作成用ソフトウェア７１ａ上のファイル名を文書データ名８ｃとする。また、処理部７０は、送信者情報８ｄを文書データ８に含める。送信者情報８ｄは、文書データ８の送信者（コンピューター７）を示すデータである。例えば、文書データ８を送信するコンピューター７のパスやＩＰアドレスを送信者情報８ｄとすることができる。また、送信者情報８ｄは、コンピューター７の名前でもよい。また、処理部７０は送信日時８ｅを文書データ８に含める。処理部７０は、送信日時８ｅの認識のため、時計回路（不図示）を含む。
【００３２】
（節約モードでの追加）
次に、図３〜図９を用いて、実施形態に係る複合機１００の節約モードの一例を説明する。図３、図４は、実施形態に係る節約モード設定画面９１、９２の一例を示す図である。図５は、実施形態に係る節約モードでの処理の流れの一例を示す図である。図６は、実施形態に係る文書データ指定画面９３の一例を示す図である。図７、図８は、実施形態に係る節約モードでの印刷物への情報追加の一例を示す図である。図９は、実施形態に係る欠落追加画像データｉ１の一例を示す。
【００３３】
複合機１００は節約モードを有する。節約モードの設定と解除は、コンピューター７で行うことができる。図３は、コンピューター７のディスプレイ７２に表示される節約モード設定画面９１（節約モード設定ウィンドウ）の一例を示す。入力デバイス７３に所定の操作がなされたとき、コンピューター７の処理部７０は、節約モード設定画面９１をディスプレイ７２に表示させる。節約モード設定画面９１には、ＯＮボタンＢ１とＯＦＦボタンＢ２が配される。ＯＮボタンＢ１は複合機１００を節約モードに設定するためのボタンである。ＯＦＦボタンＢ２は複合機１００の節約モードを解除するためのボタンである。
【００３４】
ＯＮボタンＢ１が操作されたとき、処理部７０は、通信部６に向けて、節約モードへの移行指示をネットワーク通信部７４に送信させる。移行指示を受信したとき、制御部１は、複合機１００を節約モードとする（節約モードで制御する）。制御部１は、節約モードに関するプログラムを利用して、複合機１００を制御する。ＯＦＦボタンＢ２が操作されたとき、処理部７０は、通信部６に向けて、節約モードの解除指示をネットワーク通信部７４に送信させる。解除指示を受信したとき、制御部１は、節約モードを解除する。節約モードが解除されたとき、制御部１は、通常モードに移行する。
【００３５】
また、節約モードの設定と解除は、操作パネル４で行うこともできる。図４は、複合機１００の表示パネル４１に表示される節約モード設定画面９２の一例を示す。タッチパネル４２やハードキー４３に所定の操作がなされたとき、制御部１は、節約モード設定画面９２を表示パネル４１に表示させる。節約モード設定画面９２にも、ＯＮボタンＢ１とＯＦＦボタンＢ２が配される。ＯＮボタンＢ１が操作されたとき、制御部１は複合機１００を節約モードとする（節約モードで制御する）。制御部１は、節約モードに関するプログラムを利用して、複合機１００を制御する。ＯＦＦボタンＢ２が操作されたとき、制御部１は節約モードを解除する。節約モードが解除されたとき、制御部１は通常モードに移行する（通常モードで制御する）。
【００３６】
節約モードで印刷が実行されたとき、制御部１は自動的に節約モードを解除してもよい。この場合、使用者は節約モードを利用するたびに、節約モードを利用する設定を行う。また、制御部１は、コンピューター７又は操作パネル４でＯＦＦボタンＢ２が操作されるまで、設定された節約モードを維持してもよい。
【００３７】
節約モードでは、先に印刷部５で出力した印刷物に、欠落部分Ｐ１（修正で追加された部分）のみを追加することができる。情報が欠落している印刷物を再利用し、完成した文書を得ることができる。以下、図３〜図６を用いて、節約モードでの処理の流れを説明する。図５のフローチャートでのスタートは、節約モードの状態で、通信部６が文書データ８を受信した時点である。
【００３８】
まず、制御部１は、新たに受信した文書データ８を記憶部２に不揮発的に記憶させる（ステップ♯１１）。新たに受信した文書データ８は、記憶部２のストレージに記憶される。なお、節約モードが設定されていても、解除されていても、制御部１は、新たに受信した文書データ８を記憶部２に記憶させる。
【００３９】
次に、制御部１は、送信から予め定められた保持期間が経過した文書データ８を記憶部２に消去させる（ステップ♯１２）。制御部１は、各文書データ８に含まれる送信日時８ｅを確認する。制御部１は、記憶された文書データ８のうち、送信日時８ｅから保持期間が経過した文書データ８を確認する。制御部１は、古くなった文書データ８を自動的に削除する。保持期間の長さは、操作パネル４で設定することができる。例えば、保持期間は、数日〜数ヶ月の範囲内で定めることができる。
【００４０】
制御部１は、記憶部２の文書データ８のうち、新たに受信した文書データ８に対応する文書データ８（第１文書データ８１）を選択する（ステップ♯１３）。以下、新たに受信した文書データ８を第２文書データ８２と称する。使用者は第１文書データ８１の選択手法を設定することができる。使用者は選択手法を選ぶことができる。コンピューター７と操作パネル４で選択手法を設定することができる。
【００４１】
図３はコンピューター７に表示される節約モード設定画面９１の一例を示す。図４は、操作パネル４に表示される節約モード設定画面９２の一例を示す。各節約モード設定画面９１、９２には、自動選択ボタンＢ３、データ指定ボタンＢ４、添付ボタンＢ５が設けられる。文書データ名８ｃに基づき自動的に第１文書データ８１を選択するとき、使用者は、自動選択ボタンＢ３を操作する。コンピューター７で自動選択ボタンＢ３が操作されたとき、処理部７０は、通信部６に向けて、自動選択ボタンＢ３が操作されたことをネットワーク通信部７４に送信させる。操作パネル４で自動選択ボタンＢ３が操作されたとき、制御部１は自動選択ボタンＢ３が操作されたことを認識する。修正前後で文書データ名８ｃが変わらないとき、使用者は、自動選択ボタンＢ３を操作すればよい。
【００４２】
自動選択ボタンＢ３が操作されたとき、制御部１は、記憶部２に記憶された文書データ８のうち、第２文書データ８２の文書データ名８ｃと同じ名前の文書データ８を第１文書データ８１として選択する。上述したように、各文書データ８には、文書データ名８ｃ（ファイル名）が含まれる。制御部１は、各文書データ８に含まれる文書データ名８ｃの情報を参照し、第１文書データ８１を選択する。
【００４３】
第１文書データ８１とする文書データ８を自分で指定するとき、使用者は、データ指定ボタンＢ４を操作する。コンピューター７でデータ指定ボタンＢ４が操作されたとき、処理部７０は、データ指定画面９３をディスプレイ７２に表示させる。操作パネル４でデータ指定ボタンＢ４が操作されたときも、制御部１は、データ指定画面９３を表示パネル４１に表示させる。
【００４４】
コンピューター７でデータ指定画面９３を表示するとき、処理部７０は、通信部６に向けて、各文書データ８に関する情報の送信要求をネットワーク通信部７４に送信させる。送信要求を受けたとき、制御部１は、ネットワーク通信部７４に向けて、記憶部２の各文書データ８の情報（文書データ名８ｃ、送信者情報８ｄ、送信日時８ｅ等）を通信部６に送信させる。
【００４５】
図６は、データ指定画面９３の一例を示す。データ指定画面９３は、文書一覧表９３ａを含む。文書一覧表９３ａの各行には、記憶部２に記憶された各文書データ８の情報が記載される。使用者は、指定したい文書データ８の行を操作する。操作された行に対応する文書データ８が第１文書データ８１として指定される。コンピューター７で文書データ８が指定されたとき、処理部７０は、通信部６に向けて、指定された文書データ８を示す指定データをネットワーク通信部７４に送信させる。通信部６が指定データを受信したとき、制御部１は、指定された文書データ８を第１文書データ８１として選択する。また、制御部１は、タッチパネル４２の操作により指定された文書データ８を第１文書データ８１として選択する。
【００４６】
また、第２文書データ８２に添付された文書データ８を第１文書データ８１としたいとき、添付ボタンＢ５を操作する。コンピューター７で添付ボタンＢ５が操作されたとき、処理部７０は、通信部６に向けて、添付ボタンＢ５が操作されたことをネットワーク通信部７４に送信させる。操作パネル４で添付ボタンＢ５が操作されたとき、制御部１は、添付ボタンＢ５が操作されたことを認識する。
【００４７】
添付ボタンＢ５が操作されたとき、制御部１は、記憶部２に記憶された文書データ８を第１文書データ８１として選択しない。制御部１は、第２文書データ８２に添付された別の文書データ８を第１文書データ８１として選択する。文書データを送信するとき、使用者は、第２文書データ８２と、第２文書データ８２に添付するデータ（第１文書データ８１）を設定する。
【００４８】
また、原稿を読み取って得られた画像データ（原稿画像データ）を第１文書データ８１とすることもできる。この場合、原稿の読み取りが必要である。複合機１００に原稿をセットする必要がある。そこで、操作パネル４の節約モード設定画面９２（図４参照）にのみ、スキャンボタンＢ６が設けられる。ディスプレイ７２に表示される節約モード設定画面９１（図３参照）には、スキャンボタンＢ６が表示されない。つまり、操作パネル４のタッチパネル４２やハードキー４３は、原稿画像データとの比較指示を受け付ける。
【００４９】
スキャンボタンＢ６が操作されたとき（比較指示がなされたとき）、制御部１は、欠落部分Ｐ１のある印刷物（再利用しようとする印刷物、情報を追加しようとする印刷物）をセットすべきことを表示パネル４１に表示させてもよい。そして、制御部１は、欠落部分Ｐ１のある印刷物を画像読取部３に読み取らせる。制御部１は、画像読取部３の読み取りで得られた画像データ（原稿画像データ）を記憶部２に記憶させる。比較指示がなされたとき、制御部１は、次に通信部６が受信した第２文書データ８２については、直近に生成された原稿画像データを第１文書データ８１として選択する。
【００５０】
次に、制御部１は、選択した第１文書データ８１と第２文書データ８２を比較する（ステップ♯１４）。制御部１は、第１文書データ８１のＰＤＬデータ８ａに基づき生成した画像データと、第２文書データ８２のＰＤＬデータ８ａに基づき生成した画像データを比較する。ＰＤＬデータ８ａに基づき、画像処理部１２は、画像データを生成する。なお、スキャンボタンＢ６が操作されたとき、制御部１は、第２文書データ８２のＰＤＬデータ８ａに基づき生成した画像データ（比較用画像データ）と原稿画像データ（第１文書データ８１）を比較する。なお、制御部１は、第１文書データ８１のＰＤＬデータ８ａと、第２文書データ８２のＰＤＬデータ８ａを比較してもよい。
【００５１】
比較に基づき、制御部１は、第１文書データ８１と第２文書データ８２が同じか否かを判定する（ステップ♯１５）。例えば、各ＰＤＬデータ８ａに基づき生成した各画像データに差異がないとき、制御部１は、第１文書データ８１と第２文書データ８２が同じと判定する。各画像データに差異があるとき、制御部１は、第１文書データ８１と第２文書データ８２が異なると判定する。
【００５２】
また、両方のＰＤＬデータ８ａに差異がないとき、制御部１は、第１文書データ８１と第２文書データ８２が同じと判定してもよい。両方のＰＤＬデータ８ａに差異点があるとき、制御部１は、第１文書データ８１と第２文書データ８２が異なると判定してもよい。
【００５３】
同じと判定したとき（ステップ♯１５のＹｅｓ）、制御部１は、第１文書データ８１と第２文書データ８２が同じであることを報知する（ステップ♯１６）。例えば、制御部１は、第２文書データ８２を送信したコンピューター７に向けて、両方の文書データ８が同じである旨の通知を送信する。また、制御部１は、両方の文書データ８が同じである旨を表示パネル４１に表示させてもよい。そして、本フローは終了する。その結果、制御部１は、欠落部分Ｐ１のみを追加する印刷を印刷部５に行わせない。
【００５４】
異なると判定したとき（ステップ♯１５のＮｏ）、制御部１は、第２文書データ８２のうち、第１文書データ８１と同じ部分と、第２文書データ８２にはあるが第１文書データ８１にはない欠落部分Ｐ１を認識する（ステップ♯１７）。
【００５５】
例えば、制御部１は、第２文書データ８２のＰＤＬデータ８ａに基づき生成した画像データを、第１文書データ８１のＰＤＬデータ８ａに基づき生成した画像データ又は原稿画像データと一致する領域と異なる領域に区分する。制御部１は異なると区分した領域を欠落部分Ｐ１と認識する。制御部１は、第２文書データ８２のＰＤＬデータ８ａのうち、第１文書データ８１のＰＤＬデータ８ａと異なる部分を欠落部分Ｐ１と判定してもよい。
【００５６】
図７、図８は、欠落部分Ｐ１の認識と欠落部分Ｐ１の追加の一例を示す図である。図７、図８では、欠落部分Ｐ１がロゴである例を説明する。図７は、欠落部分Ｐ１のある文書データ８の内容を示す。つまり、図７は修正前の文書データ８（第１文書データ８１）を示す。図８は、情報を追加した文書データ８の内容を示す。図８は修正後の文書データ８（第２文書データ８２）を示す。
【００５７】
図７に示すように、上方の文書データ８では、ロゴが欠落している。一方、FIG.8の文書データ８では、ロゴを追加する修正がなされている。つまり、第１文書データ８１と第２文書データ８２は、一部が一致している。第２文書データ８２には、第１文書データ８１にない情報が追加されている。制御部１は、第２文書データ８２のうち、第１文書データ８１から追加された部分を欠落部分Ｐ１と認識する。FIG.8において、制御部１は、破線で囲まれた部分を欠落部分Ｐ１と認識する。
【００５８】
例えば、制御部１は、ロゴのような追加された図形を欠落部分Ｐ１と認識してもよい。制御部１は、下線のような線図形を欠落部分Ｐ１と認識してもよい。制御部１は、予め定められたヘッダー領域（ページ上側の所定幅の帯領域）に追加された文字列を欠落部分Ｐ１と認識してもよい。制御部１は、予め定められたフッター領域（ページ下側の所定幅の帯領域）に追加された文字列を欠落部分Ｐ１と認識してもよい。
【００５９】
制御部１は、欠落部分Ｐ１のみが印刷される欠落追加画像データｉ１を生成する（ステップ♯１８）。図９は、欠落追加画像データｉ１の一例を示す。例えば、制御部１は、第２文書データ８２のＰＤＬデータ８ａに基づき、第２文書データ８２の画像データを生成する。そして、制御部１は、第２文書データ８２の画像データのうち、欠落部分Ｐ１（欠落部分Ｐ１と認識した領域）以外の画素の画素値を白色に変換した画像データを生成する。生成した画像データに基づき印刷したとき、欠落部分Ｐ１のみが印刷される。制御部１は、この画像データを欠落追加画像データｉ１とする。
【００６０】
そして、制御部１は、欠落部分Ｐ１のある印刷物（第１文書データ８１の印刷物、再利用する印刷物、情報を追加しようとする印刷物）をセットすべき旨のメッセージを表示パネル４１に表示させる（ステップ♯１９）。このとき、制御部１は、メッセージとともに、印刷開始ボタンを表示パネル４１に表示させてもよい。欠落部分Ｐ１のある印刷物を給紙部５１にセットし忘れていても、使用者は気づくことができる。そして、制御部１は、欠落追加画像データｉ１に基づく印刷を印刷部５に行わせる（ステップ♯１１０）。なお、印刷開始ボタンへの操作をタッチパネル４２が受け付けたとき、制御部１は、印刷部５に印刷を開始させてもよい。
【００６１】
具体的に、制御部１は、セットされた欠落部分Ｐ１のある印刷物（第１文書データ８１の印刷物）の給紙を給紙部５１に行わせる。また、制御部１は、欠落追加画像データｉ１に基づくトナー像形成と印刷物へのトナー像の転写を画像形成部５３に行わせる。定着部５５は、欠落部分Ｐ１のトナー像を印刷物に定着させる。その結果、欠落部分Ｐ１が追加された印刷物が得られる。つまり、必要な情報の追加により完成した印刷物が得られる。やがて、欠落部分Ｐ１のある印刷物への印刷が完了する（ステップ♯１１１）。そして、本フローは終了する（エンド）。
【００６２】
（節約モードが解除されているときの処理）
次に、図１０を用いて、実施形態に係る節約モードが解除されているときの複合機１００の処理の一例を説明する。図１０は、実施形態に係る節約モードが解除されているときの複合機１００の処理の一例を示すフローチャートである。
【００６３】
節約モードでは、欠落している情報のみを印刷済の用紙に追加することができる。節約モードが解除されているとき、基本的に、制御部１は、第１文書データ８１を選択しない。節約モードが解除されているとき、制御部１は、受信した文書データ８の全内容を新たな用紙に印刷する。しかし、印刷済の用紙を再利用できる場合がある。また、使用者が節約モードの設定を忘れる場合がある。節約モードが解除されているとき、制御部１は、できるだけ印刷済の用紙が再利用されるようにする。
【００６４】
以下、図１０を用いて、節約モードが解除されているときの処理の流れの一例を説明する。図１０のスタートは、節約モードが解除されている状態で文書データ８を受信した時点である。まず、制御部１は、新たに受信した文書データ８を記憶部２に不揮発的に記憶させる（ステップ♯２１）。次に、制御部１は、新たに受信した文書データ８が第３文書データであるか否かを確認する（ステップ♯２２）。ここで、第３文書データは、新たに通信部６が受信した文書データ８のうち、同じ名前の文書データ８が記憶部２に記憶されている文書データ８である。言い換えると、制御部１は、新たに受信した文書データ８と同じ名前の文書データ８が記憶部２に記憶されているか否かを確認する。
【００６５】
第３文書データでないとき（ステップ♯２２のＮｏ）、制御部１は、新たに受信した文書データ８に基づき、印刷部５に印刷させる（ステップ♯２３）。ステップ♯２３では、新しい用紙を用いて印刷がなされる。ステップ♯２３の後、本フローは終了する（エンド）。
【００６６】
第３文書データであるとき（ステップ♯２２のＹｅｓ）、制御部１は、第３文書データを送信したコンピューター７（送信者）に向けて、注意喚起通知を通信部６に送信させる（ステップ♯２４）。注意喚起通知は、同じ名前の文書データ８が以前に印刷されたことを知らせるデータである。注意喚起通知を受信したとき、処理部７０は、同じ名前の文書データ８が以前に印刷された旨のメッセージをディスプレイ７２に表示させる。印刷済用紙を再利用できる可能性があることを使用者に知らせることができる。
【００６７】
制御部１は、第３文書データと記憶部２に記憶された同じ名前の文書データ８の送信者とが同じか否かを確認する（ステップ♯２５）。制御部１は、各文書データ８に含まれる送信者情報８ｄに基づき、送信者（コンピューター７）が同じか否かを確認する。
【００６８】
送信者が同じとき（ステップ♯２５のＹｅｓ）、制御部１は、第１回答要求を通信部６に送信させる（ステップ♯２６）。第３文書データに含まれる送信者情報８ｄに基づき、制御部１は第１回答要求の宛先を定める。宛先は、第３文書データを送信したコンピューター７（ネットワーク通信部７４）である。第１回答要求は、印刷物を再利用するか否かの回答を求める通知である。
【００６９】
第１回答要求を受信したコンピューター７の処理部７０は、メッセージをディスプレイ７２に表示する。このメッセージは、以前に、同じコンピューター７から、同じ名前の文書データ８を送信し、印刷したことを知らせる。また、処理部７０は、回答用のボタンをディスプレイ７２に表示させる。例えば、処理部７０は、再利用ボタンと再利用不要ボタンを表示させる。使用者はこれらのボタンを操作して、回答内容を定めることができる。
【００７０】
制御部１は、印刷物を再利用して印刷を行う回答がなされたか否かを確認する（ステップ♯２７）。具体的に、制御部１は、第３文書データの送信者（コンピューター７）からの回答を確認する。入力デバイス７３が再利用ボタンの操作を受け付けたとき、処理部７０は、通信部６に向けて、再利用する旨の回答をネットワーク通信部７４に送信させる。再利用する旨の回答を受信したとき、制御部１は、印刷物を再利用して印刷を行う回答がなされたと認識する（ステップ♯２７のＹｅｓ）。
【００７１】
一方、入力デバイス７３が再利用不要ボタンの操作を受け付けたとき、処理部７０は、通信部６に向けて、再利用しない旨の回答をネットワーク通信部７４に送信させる。再利用しない旨の回答を受信したとき、制御部１は、印刷物を再利用しない回答がなされたと認識する（ステップ♯２７のＮｏ）。
【００７２】
印刷物を再利用しない回答がなされたとき（ステップ♯２７のＮｏ）、フローは、ステップ♯２３に移行する。一方、印刷物を再利用する回答がなされたとき（ステップ♯２７のＹｅｓ）、制御部１は、欠落部分Ｐ１のみが印刷される欠落追加画像データｉ１を生成する（ステップ♯２８、ステップ♯１８と同様）。このとき、制御部１は、記憶部２に記憶され、第３文書データと同じ名前の文書データ８を第１文書データ８１とする。また、制御部１は、第３文書データを第２文書データ８２と扱う。両方の文書データ８を比較することにより、制御部１は、欠落追加画像データｉ１を生成する。
【００７３】
そして、制御部１は、欠落部分Ｐ１のある印刷物（第１文書データ８１の印刷物）をセットすべき旨のメッセージを表示パネル４１に表示させる（ステップ♯２９、ステップ♯１９と同様）。制御部１は、メッセージとともに、印刷開始ボタンを表示パネル４１に表示させてもよい。再利用する印刷物を給紙部５１にセットし忘れていても、使用者は気づくことができる。
【００７４】
続いて、制御部１は、欠落追加画像データｉ１に基づく印刷を印刷部５に行わせる（ステップ♯２１０、ステップ♯１１０と同様）。具体的に、制御部１は、給紙部５１にセットされた再利用する印刷物の給紙を給紙部５１に行わせる。また、制御部１は欠落追加画像データｉ１に基づくトナー像形成と印刷物へのトナー像の転写を画像形成部５３に行わせる。定着部５５は、欠落部分Ｐ１のトナー像を印刷物に定着させる。その結果、欠落部分Ｐ１が追加された印刷物が得られる。やがて再利用する印刷物への印刷が完了する（ステップ♯２１１、ステップ♯１１１と同様）。そして本フローは終了する（エンド）。
【００７５】
送信者が異なるとき（ステップ♯２５のＮｏ）、制御部１は、第２回答要求を通信部６に送信させる（ステップ♯２１２）。第３文書データに含まれる送信者情報８ｄに基づき、制御部１は第２回答要求の宛先を定める。宛先は、第３文書データを送信したコンピューター７（ネットワーク通信部７４）である。第２回答要求は、第３文書データに基づく印刷を中止するか否かの回答を求める通知である。
【００７６】
複数人が共同で１つの文書を作成することがある。既に文書が印刷済みであることを知らずに、共同作成者の１人が印刷することがある。この場合、余分な（必要以上）の印刷がなされる。余分な文書の印刷は無駄である。そこで、制御部１は、同じ文書が印刷済であることを知らせる。
【００７７】
第２回答要求を受信したコンピューター７の処理部７０は、メッセージをディスプレイ７２に表示する。このメッセージは、以前に、他のコンピューター７から同じ名前の文書データ８が送信されたことを知らせる。また、このメッセージは印刷済であることを知らせる。また、処理部７０は、回答用のボタンをディスプレイ７２に表示させる。例えば、処理部７０は、中止ボタンと継続ボタンを表示させる。使用者は、これらのボタンを操作して、回答内容を定めることができる。
【００７８】
制御部１は、第３文書データに基づく印刷を中止する回答がなされたか否かを確認する（ステップ♯２１３）。具体的に、制御部１は、第３文書データの送信者（コンピューター７）からの回答を確認する。入力デバイス７３が継続ボタンの操作を受け付けたとき、処理部７０は、通信部６に向けて、印刷続行の回答をネットワーク通信部７４に送信させる。印刷続行の回答を受信したとき（ステップ♯２１３のＮｏ）、フローは、ステップ♯２３に移行する。そして、本フローは終了する（エンド）。
【００７９】
一方、入力デバイス７３が中止ボタンの操作を受け付けたとき、処理部７０は、通信部６に向けて、印刷中止の回答をネットワーク通信部７４に送信させる。印刷中止の回答を受信したとき、制御部１は、印刷中止の回答がなされたと認識する（ステップ♯２１３のＹｅｓ）。そして、制御部１は、第３文書データに基づく印刷を中止させる（ステップ♯２１４）。そして、本フローは終了する。
【００８０】
従来、ミスプリントがあったとき、新たな用紙、色材を消費して、修正後の文書の印刷がなされている。つまり、印刷のやり直しが行われている。必要な情報が欠落した印刷物は、捨てられている。再利用はされていない。そこで、実施形態に係る画像形成装置（複合機１００）は、画像形成装置は、通信部６、印刷部５、記憶部２、操作部（タッチパネル４２、ハードキー４３）、制御部１を含む。通信部６は、文書データ８を受信する。印刷部５は、用紙を１枚ずつ送り出す給紙部５１を含む。印刷部５は、文書データ８に基づき、給紙部５１から供給された用紙に印刷する。記憶部２は、通信部６が受信した文書データ８を不揮発的に記憶する。操作部は、操作を受け付ける。節約モードに設定されているとき、制御部１は、記憶部２に記憶された文書データ８のうち１つの文書データ８を第１文書データ８１として選択する。制御部１は、第１文書データ８１と新たに通信部６が受信した第２文書データ８２を比較する。制御部１は、第２文書データ８２のうち、第２文書データ８２にはあるが第１文書データ８１にはない欠落部分Ｐ１を認識する。制御部１は、欠落部分Ｐ１のみが印刷される欠落追加画像データｉ１を生成する。制御部１は、セットされた第１文書データ８１に基づく印刷物を給紙部５１に給紙させ、欠落追加画像データｉ１に基づく印刷を印刷部５に行わせる。
【００８１】
これにより、再利用する印刷物（欠落部分Ｐ１のある印刷物、第１文書データ８１に基づく印刷物）を給紙部５１にセットするだけで、欠落している情報（第２文書に追加された情報）を再利用する印刷物に追加することができる。ミスプリントされた印刷物を再利用することができる。修正された印刷物を得るために、新たな用紙は消費されない。また、欠落部分Ｐ１のみが印刷される。第２文書データ８２に基づいてページ全体を再印刷する場合に比べ、消費される色材を減らすことができる。用紙、色材の無駄な消費を減らすことができる。経済的な画像形成装置を提供することができる。
【００８２】
また、制御部１は、記憶部２に記憶された文書データ８のうち、第２文書データ８２の文書データ名８ｃと同じ名前の文書データ８を第１文書データ８１として選択する。第２文書データ８２に対応する第１文書データ８１を自動的に選択することができる。
【００８３】
また、記憶部２に記憶された文書データ８を指定する指定データを通信部６が受信したとき、制御部１は、指定データで指定された文書データ８を第１文書データ８１として選択する。これにより、指定された文書データ８を第１文書データ８１と扱うことができる。使用者は、記憶部２に記憶された文書データ８のうち、第１文書データ８１と扱う文書データ８を選択できる。
【００８４】
また、制御部１は、操作部の操作により指定された文書データ８を第１文書データ８１として選択する。これにより、使用者は、記憶部２に記憶された文書データ８のうち、第１文書データ８１と扱う文書データ８を選択できる。
【００８５】
また、第２文書データ８２に別の文書データ８が添付されているとき、制御部１は、第２文書データ８２に添付された別の文書データ８を第１文書データ８１として選択する。制御部１は、記憶部２に記憶された文書データ８から第１文書データ８１を選択しない。これにより、第２文書データ８２に修正前の文書データ８を添付するだけで、第１文書データ８１を設定することができる。容易に第１文書データ８１を設定することができる。
【００８６】
また、画像形成装置は、原稿を読み取り、原稿画像データを生成する画像読取部３を含む。操作部が原稿画像データとの比較指示を受け付けたとき、制御部１は、原稿画像データを第１文書データ８１として選択する。制御部１は、第２文書データ８２に基づく比較用画像データと原稿画像データとを比較する。制御部１は、比較用画像データのうち、比較用画像データにはあるが原稿画像データにはない部分を欠落部分Ｐ１として認識する。制御部１は、欠落部分Ｐ１のみが印刷される欠落追加画像データｉ１を生成する。制御部１は、欠落追加画像データｉ１に基づく印刷を印刷部５に行わせる。これにより、画像形成装置のスキャナ（画像読取部３）で読み取った原稿の画像データと第２文書データ８２を比較することができる。ミスプリントした原稿を読み取らせることにより、欠落している情報を原稿（再利用する印刷物）に追加することができる。
【００８７】
また、制御部１は、送信されてから予め定められた保持期間が経過した文書データ８を記憶部２に消去させる。これにより、記憶領域が文書データ８で満杯になることを防ぐことができる。文書データ８による記憶領域の圧迫を防ぐことができる。
【００８８】
また、第１文書データ８１と第２文書データ８２が同じであるとき、制御部１は、欠落追加画像データｉ１に基づく印刷を印刷部５に行わせず、第１文書データ８１と第２文書データ８２が同じであることを報知する。これにより、修正が反映されていない文書データ８に基づき印刷しようとしていることを知らせることができる。無駄な印刷を減らすことができる。
【００８９】
また、モードが節約モードに設定されていない場合、通信部６が、記憶部２に記憶された文書データ８と同じ名前である第３文書データを新たに受信したとき、制御部１は、第３文書データの送信者に向けて、同じ名前の文書データ８が以前に印刷されたことを知らせる注意喚起通知を通信部６に送信させる。これにより、用紙、色材の消費を抑えられる可能性があることを使用者に知らせることができる。
【００９０】
また、第３文書データと記憶部２に記憶された同じ名前の文書データ８の送信者とが同じ場合、注意喚起通知の送信後、第３文書データの送信者から印刷物を再利用する回答を通信部６が受信したとき、制御部１は、第３文書データと同じ名前の文書データ８を第１文書データ８１とし、第３文書データを第２文書データ８２として、欠落追加画像データｉ１を生成する。制御部１は、欠落追加画像データｉ１に基づく印刷を印刷部５に行わせる。これにより、節約モードが設定されていなくても、印刷済の文書に必要な情報を追加することができる。ミスプリントされた印刷物を再利用することができる。
【００９１】
ある人が文書を印刷した後、他の人が同じ文書を印刷することがある。その結果、必要数以上の文書が印刷されることがある。そこで、第３文書データと記憶部２に記憶された同じ名前の文書データ８の送信者とが異なる場合、注意喚起通知の送信後、第３文書データの送信者から印刷の中止回答を通信部６が受信したとき、制御部１は、第３文書データに基づく印刷を印刷部５に行わせない。これにより、他人により同じ文書が既に印刷されている可能性を、第３文書データの送信者に知らせることができる。無駄な印刷をしようとしている可能性を知らせることができる。印刷の必要性の確認を第３文書データの送信者に促すことができる。必要がない文書が印刷されることを防ぐことができる。
【００９２】
なお、本発明は、画像形成装置とコンピューターを含む画像形成システムとして捉えることもできる。又、本発明の実施形態を説明したが、本発明の範囲はこれに限定されるものではなく、発明の主旨を逸脱しない範囲で種々の変更を加えて実施することができる。
【産業上の利用可能性】
【００９３】
本発明は、画像形成装置に利用可能である。
【符号の説明】
【００９４】
１００  複合機（画像形成装置）        １      制御部
２      記憶部                        ３      画像読取部
４２    タッチパネル（操作部）        ４３    ハードキー（操作部）
５      印刷部                        ５１    給紙部
６      通信部                        ８      文書データ
８１    第１文書データ                ８２    第２文書データ
Ｐ１    欠落部分                      ｉ１    欠落追加画像データ
【図１】
2019001061.tif 000003
【図２】
2019001061.tif 000004
【図３】
2019001061.tif 000005
【図４】
2019001061.tif 000006
【図５】
2019001061.tif 000007
【図６】
2019001061.tif 000008
【図７】
2019001061.tif 000009
【図８】
2019001061.tif 000010
【図９】
2019001061.tif 000011
【図１０】
2019001061.tif 000012